(57)【要約】【課題】  合奏を行っている各演奏者が演奏している演奏音のうち、一番低い演奏音であるベース音を各演奏者が認識可能として、合奏における各演奏者の演奏の支援を図る。【解決手段】  エレクトリックベース２に接続されたチューナ装置３は、当該ベース２の演奏音を検出して、ボーカル担当者の携帯電話機１及びシンセサイザ４に接続された近距離無線通信デバイス５に送信する。また、通信デバイス５も、シンセサイザ４の演奏音を検出して携帯電話機１及びチューナ装置３に送信する。携帯電話機１は、ベース２及びシンセサイザ４の演奏音のうち、一番低い演奏音であるベース音を検出して表示部にリアルタイムに表示する。同様に、チューナ装置３及び通信デバイス５は、自楽器の演奏音、及び他の楽器の演奏音のうち、一番低い演奏音を検出して表示部にリアルタイムに表示する。各演奏者がベース音を認識することができ、質の良い演奏が可能となる。【選択図】  図１
2008209643.tif 000002
【特許請求の範囲】
【請求項１】
合奏を行う各楽器の演奏音情報を受信する演奏音受信手段と、
上記演奏音受信手段で受信された上記各楽器の演奏音のうち、一番音程が低い演奏音であるベース音を検出するベース音検出手段と、
上記ベース音検出手段で検出された上記ベース音を表示手段に表示制御する表示制御手段と
を有する合奏支援装置。
【請求項２】
請求項１に記載の合奏支援装置であって、
楽曲進行の速さを示すテンポ情報を記憶するテンポ情報記憶手段を有し、
上記表示制御手段は、上記テンポ情報記憶手段に記憶されているテンポ情報に対応する速度で、上記上記ベース音検出手段で検出された上記ベース音を上記表示手段に、順次、スクロール表示制御すること
を特徴とする合奏支援装置。
【請求項３】
請求項２に記載の合奏支援装置であって、
上記表示制御手段は、小節の頭のタイミング、或いは一拍毎に上記ベース音を上記表示手段に表示制御すること
を特徴とする合奏支援装置。
【請求項４】
請求項２又は請求項３に記載の合奏支援装置であって、
上記表示制御手段により、上記テンポ情報に対応する速度でスクロール表示される上記ベース音を、順次、記憶手段に記憶させることで、コード進行を示す譜面情報を形成する譜面情報形成手段を有すること
を特徴とする合奏支援装置。
【請求項５】
自楽器の演奏音を検出する自楽器演奏音検出手段と、
上記自楽器演奏音検出手段で検出された自楽器の演奏音を示す演奏音情報を送信する演奏音送信手段と、
他の楽器の演奏音送信手段から送信された演奏音情報を受信する演奏音受信手段と、
上記自楽器演奏音検出手段で検出された自楽器の演奏音、及び上記演奏音受信手段で受信された上記他の楽器の演奏音送信手段から送信された演奏音のうち、一番低い演奏音であるベース音を検出するベース音検出手段と、
上記ベース音検出手段で検出された上記ベース音を表示手段に表示制御する表示制御手段と
を有する合奏支援装置。
【請求項６】
請求項５に記載の合奏支援装置であって、
楽曲進行の速さを示すテンポ情報を記憶するテンポ情報記憶手段を有し、
上記表示制御手段は、上記テンポ情報記憶手段に記憶されているテンポ情報に対応する速度で、上記上記ベース音検出手段で検出された上記ベース音を上記表示手段に、順次、スクロール表示制御すること
を特徴とする合奏支援装置。
【請求項７】
請求項６に記載の合奏支援装置であって、
上記表示制御手段は、小節の頭のタイミング、或いは一拍毎に上記ベース音を上記表示手段に表示制御すること
を特徴とする合奏支援装置。
【請求項８】
請求項６又は請求項７に記載の合奏支援装置であって、
上記表示制御手段により、上記テンポ情報に対応する速度でスクロール表示される上記ベース音を、順次、記憶手段に記憶させることで、コード進行を示す譜面情報を形成する譜面情報形成手段を有すること
を特徴とする合奏支援装置。
【請求項９】
演奏音受信手段が、合奏を行う各楽器の演奏音情報を受信するステップと、
ベース音検出手段が、上記ステップで受信された上記各楽器の演奏音のうち、一番音程が低い演奏音であるベース音を検出するステップと、
表示制御手段が、上記ステップで検出された上記ベース音を表示手段に表示制御するステップと
を有する合奏支援方法。
【請求項１０】
自楽器演奏音検出手段が、自楽器の演奏音を検出するステップと、
演奏音送信手段が、上記ステップで検出された自楽器の演奏音を示す演奏音情報を送信するステップと、
演奏音受信手段が、他の楽器の演奏音送信手段から送信された演奏音情報を受信するステップと、
ベース音検出手段が、上記ステップで上記自楽器演奏音検出手段で検出された自楽器の演奏音、及び上記ステップで上記演奏音受信手段で受信された上記他の楽器の演奏音送信手段から送信された演奏音のうち、一番低い演奏音であるベース音を検出するステップと、
表示制御手段が、上記ステップで検出された上記ベース音を表示手段に表示制御するステップと
を有する合奏支援方法。
【請求項１１】
合奏を行う各楽器の演奏音情報を受信する演奏音受信手段と、
上記演奏音受信手段で受信された上記各楽器の演奏音のうち、一番音程が低い演奏音であるベース音を検出するベース音検出手段と、
上記ベース音検出手段で検出された上記ベース音を表示手段に表示制御する表示制御手段と
を有する携帯端末装置。
【発明の詳細な説明】
【技術分野】
【０００１】
本発明は、例えば携帯電話機、ＰＨＳ電話機（PHS：Personal Handyphone System）、ＰＤＡ装置（PDA：Personal Digital Assistant）、携帯ゲーム機、ノート型のパーソナルコンピュータ装置等の携帯機器、或いはエレクトリックギター、エレクトリックベース、シンセサイザ等の電子楽器、さらにはこのような電子楽器に電気的に接続するエフェクタ装置等に適用して好適な合奏支援装置、合奏支援方法、及び携帯端末装置に関する。特に、合奏を行っている各楽器の演奏音のうち、一番音程が低い演奏音であるベース音を検出してリアルタイムに表示することで、合奏における各演奏者の演奏を支援可能とした合奏支援装置、合奏支援方法、及び携帯端末装置に関する。
【背景技術】
【０００２】
例えばポピュラーミュージック等のバンド演奏を行う演奏者は、楽曲を記憶している場合が多く、譜面を使用せずに演奏を行う場合が多い。このため、各演奏者は譜面を使用せずに演奏を行うことができるように、事前に練習等の準備して演奏を行う。しかし、この事前の準備を怠ると、相当の経験のある演奏者でない限り、良い演奏を行うことは難しい。また、相当の経験のある演奏者であっても、ステージ上のモニタスピーカ装置から出力される演奏音が聞き取り難かったりすると、良い演奏を行うことが難しくなる。
【０００３】
特開２００５−２５０１４８号の公開特許公報（特許文献１）には、複数の演奏者で楽器の合奏を行うときに、各楽器の演奏者に対して、他の演奏者が行った演奏の「乗り」やリズム等を振動や力覚反力等によって体感的に報知し、視覚／聴覚以外の情報によって音楽合奏中のコミュニケーションを図ることを目的とした合奏システムが開示されている。
【０００４】
この合奏システムは、ＬＡＮ上に、ピアノ、エレクトリックベース及びドラムを、それぞれハブを介して結線することで構成されている。各楽器は、自機において行われた演奏操作に対応する操作情報を、上記ハブを介して他の楽器に供給する。各楽器は、自機で発生した操作情報及び他の楽器から取得した操作情報の少なくとも一方に基づいて報知制御情報を生成し、この報知制御情報に基づいて振動子を振動させる。これにより、各楽器の演奏者に対して、他の演奏者が行った演奏の「乗り」やリズム等を伝えることができ、視覚／聴覚以外の情報によって音楽合奏中のコミュニケーションを図ることが可能となっている。
【０００５】
【特許文献１】特開２００５−２５０１４８号公報（第１０頁、図１、図２、図３）
【発明の開示】
【発明が解決しようとする課題】
【０００６】
ここで、特許文献１に開示されている技術のように、振動子を振動駆動して合奏を行っている各楽器の演奏者に対してリズム等を伝達するのも良いが、各演奏者の演奏音のうちベース音（一番低い音の意）を認識することができれば、このベース音に基づいて曲の進行を推測したり、そのベース音に対して不協音になり難い音を演奏する等の対応が可能となる。そして、このような対応ができれば、事前に練習等の準備をあまり行うことができなかった場合や、ステージ上のモニタスピーカ装置から出力される演奏音が聞き取り難い場合でも、質の良い演奏を行うことが可能となる。
【０００７】
本発明は、このような実状に鑑みてなされたものであり、合奏を行っている各演奏者が演奏している音のうち、一番低い音であるベース音を各演奏者が認識可能とすることで、合奏における各演奏者の演奏を支援することができるような合奏支援装置、合奏支援方法、及び携帯端末装置の提供を目的とする。
【課題を解決するための手段】
【０００８】
本発明に係る合奏支援装置は、上述の課題を解決するための手段として、
合奏を行う各楽器の演奏音情報を受信する演奏音受信手段と、
上記演奏音受信手段で受信された上記各楽器の演奏音のうち、一番音程が低い演奏音であるベース音を検出するベース音検出手段と、
上記ベース音検出手段で検出された上記ベース音を表示手段に表示制御する表示制御手段と
を有する。
【０００９】
また、本発明に係る合奏支援方法は、上述の課題を解決するための手段として、
演奏音受信手段が、合奏を行う各楽器の演奏音情報を受信するステップと、
ベース音検出手段が、上記ステップで受信された上記各楽器の演奏音のうち、一番音程が低い演奏音であるベース音を検出するステップと、
表示制御手段が、上記ステップで検出された上記ベース音を表示手段に表示制御するステップと
を有する。
【００１０】
また、本発明に係る携帯端末装置は、上述の課題を解決するための手段として、
合奏を行う各楽器の演奏音情報を受信する演奏音受信手段と、
上記演奏音受信手段で受信された上記各楽器の演奏音のうち、一番音程が低い演奏音であるベース音を検出するベース音検出手段と、
上記ベース音検出手段で検出された上記ベース音を表示手段に表示制御する表示制御手段と
を有する。
【００１１】
このような本発明は、合奏を行う各楽器の演奏音情報を受信し、この受信した各楽器の演奏音情報に基づいて、一番音程が低い演奏音を検出して表示手段にリアルタイムに表示する。これにより、合奏を行っている各演奏者が演奏している音のうち、一番低い音であるベース音を各演奏者が認識可能とし、合奏における各演奏者の演奏の支援を図る。
【００１２】
また、本発明に係る合奏支援装置は、上述の課題を解決するための手段として、
自楽器の演奏音を検出する自楽器演奏音検出手段と、
上記自楽器演奏音検出手段で検出された自楽器の演奏音を示す演奏音情報を送信する演奏音送信手段と、
他の楽器の演奏音送信手段から送信された演奏音情報を受信する演奏音受信手段と、
上記自楽器演奏音検出手段で検出された自楽器の演奏音、及び上記演奏音受信手段で受信された上記他の楽器の演奏音送信手段から送信された演奏音のうち、一番低い演奏音であるベース音を検出するベース音検出手段と、
上記ベース音検出手段で検出された上記ベース音を表示手段に表示制御する表示制御手段と
を有する。
【００１３】
また、本発明に係る合奏支援方法は、上述の課題を解決するための手段として、
自楽器演奏音検出手段が、自楽器の演奏音を検出するステップと、
演奏音送信手段が、上記ステップで検出された自楽器の演奏音を示す演奏音情報を送信するステップと、
演奏音受信手段が、他の楽器の演奏音送信手段から送信された演奏音情報を受信するステップと、
ベース音検出手段が、上記ステップで上記自楽器演奏音検出手段で検出された自楽器の演奏音、及び上記ステップで上記演奏音受信手段で受信された上記他の楽器の演奏音送信手段から送信された演奏音のうち、一番低い演奏音であるベース音を検出するステップと、
表示制御手段が、上記ステップで検出された上記ベース音を表示手段に表示制御するステップと
を有する。
【００１４】
このような本発明は、自楽器の演奏音を検出すると共に、他の楽器の演奏音送信手段から送信された演奏音情報の取り込みを行う。そして、自楽器の演奏音、及び他の楽器の演奏音のうち、一番低い演奏音であるベース音を検出して表示手段にリアルタイムに表示制御する。これにより、合奏を行っている各演奏者が演奏している音のうち、一番低い音であるベース音を各演奏者が認識可能とし、合奏における各演奏者の演奏の支援を図る。
【発明の効果】
【００１５】
本発明は、合奏を行っている各演奏者が演奏している音のうち一番低い音程の演奏音であるベース音を、各演奏者がそれぞれ認識することができる。このため、このベース音に基づいて曲の進行を推測したり、そのベース音に対して不協音になり難い音を演奏する等の対応を可能とすることができ、合奏における各演奏者の演奏を支援することができる。
【００１６】
また、このような対応が可能となるため、事前に練習等の準備をあまり行うことができなかった場合や、ステージ上のモニタスピーカ装置から出力される演奏音が聞き取り難い場合でも、質の良い演奏を行うことを可能とすることができる。
【発明を実施するための最良の形態】
【００１７】
本発明は、合奏支援システムに適用することができる。
【００１８】
［合奏支援システムの構成］
この本発明の実施の形態となる合奏支援システムは、図１に示すように例えばボーカル担当者がマイクスタンド等に下げておく、該ボーカル担当者の携帯電話機１と、エレクトリックベース２に電気的に接続された、該エレクトリックベース２のチューニングを行うためのチューナ装置３と、シンセサイザ４に電気的に接続された近距離無線通信デバイス５とを有している。
【００１９】
〔携帯電話機の構成〕
携帯電話機１は、図２に示すように基地局との間で音声通話、テレビ電話通話、電子メール、Ｗｅｂデータ等の無線通信を行うアンテナ１１及び通信回路１２と、受話音声等を出力するためのスピーカ部１３と、送話音声等を集音するマイクロホン部１４と、テレビ電話通話時に通信先から送信された相手方の動画像や所望の静止画像、或いは電子メールやメニューの文字等の他、合奏を行っている各楽器から出力される演奏音のうち、一番音程の低い演奏音であるベース音を表示するための表示部１５と、文字の入力操作、所望のメニューの選択操作、及び演奏する楽曲のテンポ情報等を入力するための操作部１６とを有している。
【００２０】
また、この携帯電話機１は、発着信等を光で知らせるための発光部１７（LED：Light Emitting Diode）と、所望の被写体の動画像或いは静止画像を撮像するためのカメラ部１８と、発着信等を当該携帯電話機の筐体を振動させて知らせるためのバイブレーションユニット１９と、時刻をカウントするタイマ２０と、例えばブルートゥース（Bluetooth：登録商標）や無線ＬＡＮ（LAN：Local Area Network）等を用いた近距離無線通信を行う近距離無線通信アンテナ２１及び近距離無線通信部２２とを有している。
【００２１】
また、この携帯電話機１は、上記エレクトリックベース２及びシンセサイザ４が現在奏でている演奏音のうち、一番音程が低い演奏音であるベース音を検出するベース音検出部２３と、各種アプリケーションプログラムや、これら各アプリケーションプログラムで取り扱われる各種データ（コンテンツ）等が記憶されたメモリ２４と、当該携帯電話機全体の動作を制御する制御部２５とを有している。
【００２２】
メモリ２４には、基地局を介した無線通信処理を行うための通信処理プログラム（コミュニケーションプログラム）の他、上記ベース音検出部２３で検出されたベース音を表示部１５にリアルタイムで表示する合奏支援プログラムと、カメラ部８の撮像制御を行うカメラ制御プログラムと、電子メールの作成や送受信を制御するための電子メール管理プログラムとが記憶されている。
【００２３】
また、メモリ２４には、ユーザのスケジュールが登録されたスケジュール帳の管理を行うためのスケジュール帳管理プログラムと、インターネット等のネットワーク上のＷｅｂページの閲覧を行うためのＷｅｂブラウジングプログラムと、電話帳の管理を行うための電話帳管理プログラムと、音楽コンテンツの再生を行うための音楽プレーヤプログラムとが記憶されている。
【００２４】
また、メモリ２４には、ユーザの所望のスケジュールが登録されるスケジュール帳と、ユーザの知人や友人等の静止画像、電話番号、電子メールアドレス、誕生年月日等が登録された電話帳と、音楽プレーヤプログラムに基づいて再生される音楽コンテンツと、カメラ制御プログラムのビューワ機能に基づいて再生される静止画像コンテンツ及び動画像コンテンツと、送受信された電子メールコンテンツと、電話及び電子メールの発着信履歴が記憶されている。
【００２５】
また、メモリ２４には、合奏を行う楽曲の進行の速さを示すテンポ情報と、このテンポ情報で示されるテンポに沿って上記ベース音検出部２３で検出されたベース音を記録することで形成された譜面情報とが記憶されている。
【００２６】
〔チューナ装置及び近距離無縁通信装置の構成〕
図３に、上記エレクトリックベース２に接続されたチューナ装置３、及びシンセサイザ４に接続された近距離無線通信デバイス５のブロック図を示す。なお、この図３は、チューナ装置３及び近距離無線通信デバイス５の要部を示したブロック図となっており、例えばチューナ装置３の場合、この図３に示した各ブロックの他、チューナ機能に対応するブロックが設けられているものと理解されたい。
【００２７】
以下、この図３をチューナ装置３の要部のブロック図として構成を説明すると、このチューナ装置３は、上記チューナ機能に加え、上記エレクトリックベース２の演奏音を検出する自楽器演奏音検出部３１と、この自楽器演奏音検出部３１で検出された演奏音を示す演奏音情報を、携帯電話機１やシンセサイザ４に接続された近距離無線通信デバイス５に近距離無線送信すると共に、シンセサイザ４に接続された近距離無線通信デバイス５から送信される該シンセサイザ４の演奏音を示す演奏音情報を近距離無線受信する近距離無線通信アンテナ３２及び近距離無線通信部３３とを有している。
【００２８】
また、このチューナ装置３は、自楽器演奏音検出部３１で検出されたエレクトリックベース２の演奏音、及び近距離無線通信部３３で受信されたシンセサイザ４の演奏音を比較して、音程が低い方の演奏音であるベース音を検出するベース音検出部３４と、合奏を行う楽曲の進行の速さを示すテンポ情報が記憶されたテンポ情報記憶部３５と、このテンポ情報で示されるテンポに沿って、ベース音検出部３４で検出されたベース音をリアルタイムで表示部３６にスクロール表示する表示制御部３７と、上記テンポ情報で示されるテンポに沿って上記ベース音検出部３４で検出されたベース音を記録することで形成された譜面情報を譜面情報記憶部３９に記憶制御する譜面情報形成部３８とを有している。
【００２９】
［携帯電話機によるベース音の表示動作］
このような合奏支援システムにおいて、携帯電話機１でベース音の認識を行おうとする例えばボーカルの担当者は、図２に示す携帯電話機１の操作部１６を操作することで、メモリ２４に記憶されている合奏支援プログラムを起動操作すると共に、合奏する楽曲のテンポを示すテンポ情報を入力する。制御部２５は、このような操作を検出すると、ボーカルの担当者から入力されたテンポ情報をメモリ２４に記憶制御すると共に、メモリ２４に記憶されている合奏支援プログラムを起動制御して、エレクトリックベース２に接続されたチューナ装置３やシンセサイザ４に接続された近距離無線通信デバイス５から送信される演奏音の取り込みを開始する。
【００３０】
後述するが、エレクトリックベース２に接続されたチューナ装置３は、エレクトリックベース２の演奏音をチューナ機能に基づいて検出し、この検出した演奏音の例えば「Ａ１」、「Ｃ２」等の音名を示す演奏音情報を近距離無線送信する。シンセサイザ４に接続された近距離無線通信デバイス５も同様であり、シンセサイザ４の演奏に対応するＭＩＤＩデータ（MIDI：Musical Instruments Digital Interface）に基づいて、例えば「Ａ１」、「Ｃ２」等の音名を示す演奏音情報を近距離無線送信する。
【００３１】
なお、シンセサイザ４で和音が演奏されている場合、近距離無線通信デバイス５は、この和音を構成する演奏音のうち、一番音程が低い演奏音を、上記ＭＩＤＩデータに基づいて検出し、この一番音程が低い演奏音の音名を示す演奏音情報を近距離無線装置する。
【００３２】
これにより、ボーカル担当者の携帯電話機１には、図１に示すようにエレクトリックベース２に接続されたチューナ装置３、及びシンセサイザ４に接続された近距離無線通信デバイス５から、該エレクトリックベース２の現在の演奏音、及びシンセサイザ４の現在の演奏音を示す演奏音情報が近距離無線送信されることとなる。
【００３３】
携帯電話機１の制御部２５は、図２に示す近距離無線通信アンテナ２１及び近距離無線通信部２２を介して上記チューナ装置３から送信されたエレクトリックベース２の演奏音情報、及び近距離無線通信デバイス５から送信されたシンセサイザ４の演奏音情報をそれぞれ取り込む。そして、ベース音検出部２３を制御することで、チューナ装置３から送信されたエレクトリックベース２の演奏音情報、及び近距離無線通信デバイス５から送信されたシンセサイザ４の演奏音情報のうち、音程が低い方の演奏音情報を検出し、この音程が低い方の演奏音を、現在の合奏におけるベース音として該ベース音の音名を表示部１５に表示制御する。これにより、ボーカル担当者は、携帯電話機１の表示部１５に表示される音名を見ることで、現在の合奏におけるベース音を認識することができる。
【００３４】
〔ベース音のスクロール表示〕
ここで、ベース音の表示を行う場合、Ａ１→Ｃ２→Ａ２・・・等のように、単的にベース音を表示してもよいのであるが、当該携帯電話機１の場合、テンポ情報で示されるテンポに沿ってベース音を、順次、スクロール表示するようになっている。
【００３５】
具体的には、制御部２５は、上記合奏支援プログラムを起動制御すると、この合奏支援プログラムに基づいて、メモリ２４に記憶されているテンポ情報を読み出すと共に、例えば図４（ａ）に示すように合奏する楽曲の「小節」と、「現在の演奏位置」と、上記テンポ情報で示される「テンポ」とを表示部１５に表示制御する。そして、制御部２５は、ベース音検出部２３を介して検出したベース音を、例えば図４（ｂ）に示すＧ→Ｃ→Ａ→Ｄ・・・等のようにテンポ情報で示されるテンポに沿って表示部１５に、順次、スクロール表示する。
【００３６】
これにより、ボーカルの担当者は、楽曲の演奏の進行に沿って、あたかも譜面を読んでいくようなかたちでベース音を認識することができる。また、このようなベース音のスクロール表示は、その楽曲のテンポに沿って行われるため、当該スクロール表示されるベース音をメトロノーム代わりに用いることを可能とすることができる。
【００３７】
なお、ベース音を表示する場合に、各小節の頭のタイミングでのみベース音を表示し、或いは一拍毎にベース音を表示するように、ユーザが任意で設定可能としてもよい。この場合、余計なベース音が表示されることで、表示内容が煩雑となる不都合を防止することができる。
【００３８】
〔譜面の形成動作〕
次に、この携帯電話機１の場合、上記ベース音を順次記録することで、譜面を形成可能となっている。この場合、上記ボーカル担当者等の当該携帯電話機１のユーザは、合奏支援プログラムを起動操作して際に、譜面の記録を指定操作する。
【００３９】
この指定操作がなされると、制御部２５は、ベース音検出部２３で検出されるベース音を、メモリ２４に記憶されているテンポ情報に基づいて該メモリ２４に順番に記憶制御する。これにより、メモリ２４には、合奏を行った楽曲のコード進行を示す譜面情報が形成され記憶されることとなる。ユーザは、この譜面情報を所望のタイミングで読み出すことが可能となっており、制御部２４は、ユーザから読み出しが指定されたタイミングで、この譜面情報を読み出し、表示部１５に表示制御する。これにより、ユーザは、所望のタイミングで過去に演奏した楽曲のコード進行等を確認することができる。
【００４０】
［チューナ装置及び近距離無線デバイスによるベース音の表示動作］
次に、エレクトリックベース２に接続されたチューナ装置３、及びシンセサイザ４に接続された近距離無線通信デバイス５においても、上述の携帯電話機１と同様の動作が行われるようになっており、エレクトリックベース２の演奏者、及びシンセサイザ４の演奏者は、共に、現在、演奏している楽曲のベース音をリアルタイムで認識可能となっている。以下、チューナ装置３に代表させて、ベース音の表示動作を説明する。
【００４１】
図３において、テンポ情報記憶部３５には、エレクトリックベース２の演奏者が予め入力した、楽曲のテンポ情報が記憶されている。演奏が開始されると、チューナ装置３の自楽器演奏音検出部３１は、エレクトリックベース２の演奏音を検出し、この演奏音の音名を示す演奏音情報を近距離無線通信部３３及びベース音検出部３４に供給する。
【００４２】
近距離無線通信部３３は、このエレクトリックベース２の演奏音の音名を示す演奏音情報を、シンセサイザ４に接続された近距離無線通信デバイス５に近距離無線送信する。近距離無線通信デバイス５も同様に、シンセサイザ４の演奏音の音名を示す演奏音情報を近距離無線送信する。近距離無線通信部３３は、この近距離無線通信デバイス５から送信されたシンセサイザ４の演奏音の音名を示す演奏音情報を受信し、ベース音検出部３４に供給する。
【００４３】
ベース音検出部３４は、自楽器演奏音検出部３１で検出されたエレクトリックベース２の演奏音の音名を示す演奏音情報と、近距離無線通信部３３で受信されたシンセサイザ４の演奏音の音名を示す演奏音情報とを比較し、音程が低い方の演奏音情報を検出し、この音程が低い方の演奏音情報を表示制御部３７、及び譜面情報形成部３８にそれぞれ供給する。
【００４４】
表示制御部３７は、この演奏音情報で示される演奏音の音名を、現在の合奏におけるベース音として表示部３６にリアルタイムに表示制御する。これにより、エレクトリックベース２の演奏者は、表示部３６に表示される音名を見ることで、現在の合奏におけるベース音を認識することができる。
【００４５】
〔ベース音のスクロール表示〕
ここで、ベース音の表示を行う場合、Ａ１→Ｃ２→Ａ２・・・等のように、単的にベース音を表示してもよいのであるが、当該チューナ装置３の場合、テンポ情報で示されるテンポに沿ってベース音を、順次、スクロール表示するようになっている。
【００４６】
具体的には、表示制御部３７は、上記合奏支援プログラムを起動制御すると、この合奏支援プログラムに基づいて、テンポ情報記憶部３５に記憶されているテンポ情報を読み出すと共に、上記図４（ａ）に例示したように合奏する楽曲の「小節」と、「現在の演奏位置」と、上記テンポ情報で示される「テンポ」とを表示部３６に表示制御する。そして、表示制御部３７は、ベース音検出部３４で検出されたベース音を、上記図４（ｂ）に例示したように、Ｇ→Ｃ→Ａ→Ｄ・・・等のようにテンポ情報で示されるテンポに沿って表示部３６に、順次、スクロール表示する。
【００４７】
これにより、エレクトリックベース２の演奏者は、楽曲の演奏の進行に沿って、あたかも譜面を読んでいくようなかたちでベース音を認識することができる。また、このようなベース音のスクロール表示は、その楽曲のテンポに沿って行われるため、当該スクロール表示されるベース音をメトロノーム代わりに用いることを可能とすることができる。
【００４８】
なお、ベース音を表示する場合に、各小節の頭のタイミングでのみベース音を表示し、或いは一拍毎にベース音を表示するように、ユーザが任意で設定可能としてもよい。この場合、余計なベース音が表示されることで、表示内容が煩雑となる不都合を防止することができる。
【００４９】
〔譜面の形成動作〕
次に、このチューナ装置３の場合、上記ベース音を順次記録することで、譜面を形成可能となっている。この場合、エレクトリックベース２の演奏者は、演奏開始に先立って、図示しない操作部を操作することで、譜面の記録を指定する。
【００５０】
この指定操作がなされると、譜面情報形成部３８は、ベース音検出部３４で検出されたベース音を、テンポ情報記憶部３５に記憶されているテンポ情報に基づいて譜面記憶部３９に順番に記憶制御する。これにより、譜面記憶部３９には、合奏を行った楽曲のコード進行を示す譜面情報が形成され記憶されることとなる。エレクトリックベース２の演奏者等のユーザは、この譜面情報を所望のタイミングで読み出すことが可能となっており、表示制御部３７は、ユーザから読み出しが指定されたタイミングで、この譜面情報を読み出し、表示部３６に表示制御する。これにより、ユーザは、所望のタイミングで過去に演奏した楽曲のコード進行等を確認することができる。
【００５１】
［実施の形態の効果］
以上の説明から明らかなように、この実施の形態の合奏支援システムで用いられる携帯電話機１は、各楽器の演奏音をそれぞれ取り込み、これら各楽器の演奏音のうち、一番低い演奏音であるベース音を検出して表示部１５にリアルタイムに表示制御する。これにより、当該携帯電話機１のユーザは、合奏を行っている各演奏者が演奏している音のうち、一番低い音であるベース音を認識しながら演奏を可能とすることができる。このため、このベース音に基づいて曲の進行を推測したり、そのベース音に対して不協音になり難い音を演奏する等の対応を可能とすることができ、合奏における各演奏者の演奏を支援することができる。
【００５２】
また、このような対応が可能となるため、事前に練習等の準備をあまり行うことができなかった場合や、ステージ上のモニタスピーカ装置から出力される演奏音が聞き取り難い場合でも、質の良い演奏を行うことを可能とすることができる。
【００５３】
また、この合奏支援システムで用いられるチューナ装置３及び近距離無線通信デバイス５は、自楽器の演奏音を検出すると共に、他の楽器の演奏音を検出し、この自楽器の演奏音、及び他の楽器の演奏音のうち、一番低い演奏音であるベース音を検出して表示部３６にリアルタイムに表示制御する。これにより、合奏を行っている各演奏者が演奏している音のうち、一番低い音であるベース音を各演奏者が認識することができ、合奏における各演奏者の演奏の支援を図ることができる。
【００５４】
また、各演奏者がベース音をリアルタイムで認識することができるため、このベース音に基づいて曲の進行を推測したり、そのベース音に対して不協音になり難い音を演奏する等の対応を可能とすることができ、合奏における各演奏者の演奏を支援することができる。
【００５５】
また、このような対応が可能となるため、事前に練習等の準備をあまり行うことができなかった場合や、ステージ上のモニタスピーカ装置から出力される演奏音が聞き取り難い場合でも、質の良い演奏を行うことを可能とすることができる。
【００５６】
［変形例］
上述の実施の形態の説明では、表示部１５や表示部３６にベース音の音名を表示することとしたが、この他、例えば各音名を記載した領域にそれぞれＬＥＤ等の発光手段を設け（携帯電話機１の場合は、既存の発光部１７を用いればよい。）、現在のベース音に対応する音名の発光手段を点灯制御（或いは点滅制御）してもよい。この場合でも、ボーカル担当者や各楽器の演奏者に対して現在のベース音を知らせることができるため、上述と同じ効果を得ることができる。
【００５７】
また、上述の実施の形態の説明では、携帯電話機を用いることとしたが、ＰＨＳ電話機（PHS：Personal Handyphone System）、ＰＤＡ装置（PDA：Personal Digital Assistant）、携帯ゲーム機、ノート型のパーソナルコンピュータ装置等の携帯機器を用いてもよい。いずれの場合も、上述と同じ効果を得ることができる。
【００５８】
最後に、上述の実施の形態の説明は、本発明の一例である。このため、本発明は上述の実施の形態に限定されることはなく、本発明に係る技術的思想を逸脱しない範囲であれば、設計等に応じて種々の変更が可能であることは勿論であることを付け加えておく。
【図面の簡単な説明】
【００５９】
【図１】本発明の実施の形態となる合奏支援システムの構成を示す図である。
【図２】実施の形態の合奏支援システムの携帯電話機のブロック図である。
【図３】実施の形態の合奏支援システムのチューナ装置の主要となる構成を示すブロック図である。
【図４】実施の形態の合奏支援システムにおけるベース音のテンポに合わせたスクロール表示の動作を説明するための図である。
【符号の説明】
【００６０】
１  携帯電話機、２  エレクトリックベース、３  エレクトリックベースのチューナ装置、４  シンセサイザ、５  シンセサイザに接続された近距離無線通信デバイス、１１  携帯電話機のアンテナ、１２  通信回路、１３  スピーカ部、１４  マイクロホン部、１５  表示部、１６  操作部、１７  発光部（ＬＥＤ）、１８  カメラ部、１９  バイブレーションユニット、２０  タイマ、２１  近距離無線通信アンテナ、２２  近距離無線通信部、２３  ベース音検出部、２４  メモリ、２５  制御部、３１  自楽器演奏音検出部、３２  近距離無線通信アンテナ、３３  近距離無線通信部、３４  ベース音検出部、３５  テンポ情報記憶部、３６  表示部、３７  表示制御部、３８  譜面情報形成部、３９  譜面記憶部
【図１】
2008209643.tif 000003
【図２】
2008209643.tif 000004
【図３】
2008209643.tif 000005
【図４】
2008209643.tif 000006